(57)【要約】【課題】浮遊系汚物を溜水面上に残すことなく確実に排出することができる水洗大便器を提供する。【解決手段】本発明は、貯水タンク４から洗浄水を便器に供給し、便器を洗浄して汚物を排出する水洗大便器１であって、ボウル形状の汚物受け面１４及び上縁部にあるリム部１６を備えたボウル部８と、このボウル部の下方にその入口が接続され汚物を排出する排水トラップ管路１２と、この排水トラップ管路の近傍で且つボウル部下方に形成された溜水部１８と、ボウル部に洗浄水を吐水して旋回流を形成すると共にその吐水方向が便器前方方向である吐水部２０と、この吐水部に貯水タンクからの洗浄水を供給する洗浄水導水路と、を有し、吐水部の開口は、便器の左右方向に長い扁平形状に形成され、且つ、その底面を溜水部側に向かって下り傾斜させることによりボウル部の外周側を旋回する旋回流と溜水部方向に流れる下降流を形成するように構成されている。【選択図】図２
2010031551.tif 000002
【特許請求の範囲】
【請求項１】
洗浄水給水手段から洗浄水を便器に供給し、便器を洗浄して汚物を排出する水洗大便器であって、
ボウル形状の汚物受け面及び上縁部にあるリム部を備えたボウル部と、
このボウル部の下方にその入口が接続され汚物を排出する排水トラップ管路と、
この排水トラップ管路の近傍で且つ上記ボウル部下方に形成された溜水部と、
上記ボウル部に洗浄水を吐水して旋回流を形成すると共にその吐水方向が便器前方方向である吐水部と、
この吐水部に上記洗浄水給水手段からの洗浄水を供給する洗浄水導水路と、を有し、
上記吐水部の開口は、便器の左右方向に長い扁平形状に形成され、且つ、その底面を上記溜水部側に向かって下り傾斜させることにより上記ボウル部の外周側を旋回する旋回流と上記溜水部方向に流れる下降流を形成するように構成されていることを特徴とする水洗大便器。
【請求項２】
上記洗浄水導水路は、便器の左右方向に長い扁平形状に形成されている請求項１記載の水洗大便器。
【請求項３】
上記洗浄水導水路の扁平形状は、少なくとも上記吐水部に整流された洗浄水を供給するために必要な領域に形成されている請求項２記載の水洗段便器。
【請求項４】
上記洗浄水浄水路は、下流側ほど断面積が広くなり、上記吐水部で最大となる請求項１又は２に記載の水洗大便器。
【発明の詳細な説明】
【技術分野】
【０００１】
本発明は、水洗大便器に係り、特に、洗浄水を便器に供給して便器を洗浄して汚物を排出する水洗大便器に関する。
【背景技術】
【０００２】
従来から、水洗大便器において、溜水にほぼ水平方向の旋回流を付与してボウル面を洗いながら汚物を中心付近に集め、サイホン作用により、排水トラップ管路から一気に外部に排出するという効果的な洗浄形態が利用されている。
このような水洗大便器においては、水平方向外側に広がる流れである旋回流が溜水表面の浮遊系汚物を外側に押し出すように作用するため、旋回流自体により浮遊系汚物を排水トラップ管路の入口開口に誘導することが困難であるため、通常は、サイホン作用による引き力やジェット吐水口からの吐水によって、排水トラップ管路へ誘導するようにしている。
【０００３】
例えば、水洗大便器のボウル部の溜水部の後面壁をほぼ垂直に立ち上げて形成して、溜水部の後方に回り込んだ洗浄水を、排水トラップ管路の入口に向かって真下方向に流下させることにより、旋回流の水勢を低下させるようにしたものが、特許文献１に開示されている。
【０００４】
【特許文献１】特開２００２‐１３８５５５号公報
【発明の開示】
【発明が解決しようとする課題】
【０００５】
しかしながら、上述した特許文献１の水洗大便器においては、大部分の旋回流はほぼ垂直に立ち上げて形成された後面壁により真下方向に流下するが、一部の旋回流が後面壁を越えて流れ依然として旋回流が継続し、浮遊系汚物が排出流から取り残されて溜水中に残るという不具合がある。
また、近年の水洗大便器においては、節水化に伴って、洗浄水が排水トラップへ押し込まれる時間やサイホン作用に要する時間を短縮して効率的に汚物を排出することが重要となっている。したがって、浮遊系汚物を溜水中に押し込んで排水トラップ側へ誘導する旋回流以外の洗浄水の流れを、水量を抑えつついかにして形成させるのかが重大な課題となっている。
【０００６】
そこで、本発明は、従来技術の課題を解決するためになされたものであり、浮遊系汚物を溜水面上に残すことなく確実に排出することができる水洗大便器を提供することを目的としている。
【課題を解決するための手段】
【０００７】
上述した目的を達成するために、本発明は、洗浄水給水手段から洗浄水を便器に供給し、便器を洗浄して汚物を排出する水洗大便器であって、ボウル形状の汚物受け面及び上縁部にあるリム部を備えたボウル部と、このボウル部の下方にその入口が接続され汚物を排出する排水トラップ管路と、この排水トラップ管路の近傍で且つ上記ボウル部下方に形成された溜水部と、上記ボウル部に洗浄水を吐水して旋回流を形成すると共にその吐水方向が便器前方方向である吐水部と、この吐水部に上記洗浄水給水手段からの洗浄水を供給する洗浄水導水路と、を有し、上記吐水部の開口は、便器の左右方向に長い扁平形状に形成され、且つ、その底面を上記溜水部側に向かって下り傾斜させることにより上記ボウル部の外周側を旋回する旋回流と上記溜水部方向に流れる下降流を形成するように構成されていることを特徴としている。
このように構成された本発明においては、吐水部の開口部を便器の左右方向に長い扁平形状に形成し且つその底面を溜水部方向に向かって下り傾斜させたので、洗浄水導水路を経由した洗浄水は吐水部からボウル部の外周側を旋回する旋回流と、吐水部の傾斜した開口底面に沿って溜水部方向へ流れる下降流の２つの主流に分水される。旋回流は、汚物受け面に付着した汚物等を効果的に溜水部側に誘導し、下降流は、溜水部表面に浮遊する汚物等を排水トラップ管路内へ押し込む流れとなって汚物等を効果的に排出することができる。
【０００８】
本発明において、好ましくは、洗浄水導水路は、便器の左右方向に長い扁平形状に形成されている。
このように構成された本発明においては、洗浄水導水路を流れる洗浄水は、洗浄水導水路の扁平部分にて扁平状態の洗浄水流となって整流され、吐水部の扁平な開口から吐水される際には、上下方向に広がらずに左右方向に広がりのある吐水形態をとることができるため、確実に下降流を形成することができる。さらに、吐水部の開口のみでなく、洗浄水導水路も併せて扁平形状としたので、吐水部において洗浄水が確実に整流され、それにより、旋回流と下降流を確実に分水し、下降流をより効果的に形成することができる。
【０００９】
本発明において、好ましくは、洗浄水導水路の扁平形状は、少なくとも吐水部に整流された洗浄水を供給するために必要な領域に形成されている。
このように構成された本発明においては、少なくとも吐水部に整流された洗浄水を供給するために必要な領域に形成された扁平形状の洗浄水導水路を流れる洗浄水は、扁平状態の洗浄水流となって整流され、吐水部の扁平な開口から吐水される際には、上下方向に広がらずに左右方向に広がりのある吐水形態をとることができるため、確実に下降流を形成することができる。さらに、吐水部の開口のみでなく、洗浄水導水路も併せて扁平形状としたので、吐水部において洗浄水が確実に整流され、それにより、旋回流と下降流を確実に分水し、下降流をより効果的に形成することができる。
【００１０】
本発明において、好ましくは、洗浄水浄水路は、下流側ほど断面積が広くなり、吐水部で最大となる。
このように構成された本発明においては、洗浄水浄水路から吐水部の開口に向けて扁平状態の洗浄水流が確実に形成され、吐水部から溜水部方向へ流れる下降流の分水をより効果的に行うことができる。
【発明の効果】
【００１１】
本発明の水洗大便器によれば、浮遊系汚物を溜水面上に残すことなく確実に排出することができる。
【発明を実施するための最良の形態】
【００１２】
以下、本発明の実施形態を添付図面を参照して説明する。図１は本発明の第１実施形態による水洗大便器を示す縦断面図であり、図２は図１に示す水洗大便器の平面図である。
図１及び図２に示すように、本発明の第１実施形態による水洗大便器１は、便器本体２と、この便器本体２の後部に取り付けられた洗浄水を貯水して給水する洗浄水給水手段である貯水タンク４とを備えている。
この貯水タンク４には排水弁６が設けられ、便器本体２へ洗浄水が供給されるようになっている。
便器本体２の前方上部にはボウル部８が形成され、後方上部には洗浄水の導水路１０（詳細は後述する）が形成され、さらに、ボウル部８の下方には排水トラップ管路１２が形成されている。
【００１３】
ボウル部８は、汚物受け面１４と、その上縁部に形成されたリム部１６を備え、リム部１６の内周面は、洗浄水が外に飛び出さないようにオーバーハングした形状となっている。
また、ボウル部８下方には、溜水部１８が形成されている。この溜水部１８の下方には、上述した排水トラップ管路１２の入口１２ａが開口し、この入口１２ａから上昇路１２ｂが後方に延びている。この上昇路１２ｂには下降路１２ｃが連続し、下降路１２ｃの下端は排水ソケット（図示せず）を介して床下の排出管（図示せず）に接続されている。
【００１４】
なお、本実施形態の水洗大便器１においては、排水トラップ管路１２の下降路１２ｃの下端が床下の排出管（図示せず）に接続されている床排水形の大便器を一例として説明しているが、このような形態に限定されず、下降路１２ｃの末端が水洗大便器の後壁側に配置されて床上の排出管と接続される床上排水形の大便器においても適用可能である。また前記ボウル部８に対して洗浄水を供給する給水源は、本実施形態で示した重力給水式のタンク構造だけでなく、水道水の直接給水圧を利用したものであったり、ポンプで補圧されるような構造であってもよい。
【００１５】
ボウル部８の前方から見て左側の後部には、上述した導水路１０に連通する詳細は後述する吐水口（吐水部）２０が形成されている。貯水タンク４内の洗浄水は、貯水タンク４の底面に配置されている洗浄水給水口４ａから導水路１０を経て、吐水口２０からリム部１６と汚物受け面１４の間の内周面上に便器前方方向に吐水されて旋回流が形成されると共に、溜水部１８の方向に吐水されて下降流が形成されるようになっている。
【００１６】
つぎに、図１〜図４により、上述した洗浄水の導水路１０と吐水口（吐水部）２０について詳細に説明する。ここで、図３は図２のIII−III線に沿って見た縦断面図であり、図４は図２のIV−IV線に沿って見た縦断面図である。
【００１７】
まず、図２及び図３に示すように、導水路１０においては、貯水タンク４の洗浄水給水口４ａに接続される入口部１０ａから外側斜め前方に所定距離延びた位置で吐水口２０に向けて偏向されるコーナー部１０ｂが形成されている。導水路１０の入口部１０ａからコーナー部１０ｂまでの区間における縦断面は左右方向に長い扁平形状となっている。
なお、本実施形態では、導水路１０の入口部１０ａからコーナー部１０ｂにかけての全領域における各縦断面の形状を左右方向に長い扁平形状としているが、この左右方向に長い扁平形状の断面は、導水路１０の入口部１０ａからコーナー部１０ｂにかけての全領域のうちの一部に形成されているものでもよく、要するに、少なくとも吐水部２０に整流された洗浄水が供給されるために必要な領域に形成されていればよい。
【００１８】
また、図２及び図４に示すように、吐水口２０は、左右方向に長い扁平形状であり且つその底面が溜水部１８側に向かって下り傾斜した形状となっている。
【００１９】
さらに、導水路１０のコーナー部１０ｂから吐水口２０までの区間における扁平形状の各縦断面は互いにほぼ相似形であり、その断面積は下流側に行くに従って徐々に広くなっており、吐水口２０で最大となっている。
ここで、図４に示すように、一例として、導水路１０の扁平形状の開口部分は、その縦短辺ａと横長辺ｂの比ａ／ｂが０．３〜０．５になるように形成されているのが好ましく、その値はボウル部８の形状に合わせて調整されることになる。また、吐水口２０の溜水部１８側に向かって下り傾斜した底面１０ｃと内側面１０ｄが成す角度は６０°〜７０°に設定するのが好ましく、その値はボウル部８の形状に合わせて調整されることになる。
【００２０】
つぎに、図２、図５及び図６より、本発明の第１実施形態による水洗大便器の動作（作用）を説明する。図５は図２のＶ−Ｖ線に沿って見た縦断面図であり、図６は本発明の第１実施形態による水洗大便器における洗浄水の流れの様子を示す斜視図である。ここで、図２、図５及び図６においては、水洗大便器における洗浄水の流れの方向を矢印で示している。
最初に、便器洗浄のための操作レバー（図示せず）を操作すると、貯水タンク４に設けられた排水弁６が開き、貯水タンク４内の洗浄水が洗浄水給水口４ａより導水路１０の入口部１０ａに流入し、導水路１０のコーナー部１０ｂを経て（矢印Ｆ１参照）、吐水口２０から吐水される。この際、導水路１０の入口部１０ａからコーナー部１０ｂまでの区間における縦断面が左右方向に長い扁平形状となっているため、この区間の導水路１０を流れる洗浄水は、導水路１０の扁平部分にて扁平状態の洗浄水流となって整流され、吐水口２０から吐水される際には、上下方向に広がらずに左右方向に広がりのある扁平状態の吐水形態をとることができる。
【００２１】
また、吐水口２０から吐水される洗浄水は、吐水口２０からリム部１６と汚物受け面１４の間の内周面上に便器前方方向に吐水されて水平方向の流れとなってボウル部８の外周側を旋回する旋回流（矢印Ｆ２参照）を形成すると共に、溜水部１８側に向かって下り傾斜した吐水口２０の開口底面１０ｃに沿って溜水部１８の方向へ落下する下降流（矢印Ｆ３参照）を形成する。すなわち、導水路１０を経由した洗浄水は、ボウル部８の汚物受け面１４を洗浄する旋回流（矢印Ｆ２参照）と、溜水に向かって落下する２つの主流に分水される。
ここで、上述したように、吐水口２０は左右方向に長い扁平形状であり且つその底面が溜水部１８側に向かって下り傾斜した形状となっていることに加え、導水路１０のコーナー部１０ｂから吐水口２０までの区間における扁平形状の縦断面の面積は下流側に行くに従って徐々に広くなって吐水口２０で最大となっているため、下降流（矢印Ｆ３参照）を確実により効果的に形成することができる。
【００２２】
さらに、溜水に向かって落下する下降流（矢印Ｆ３参照）の一部は、溜水部１８やボウル部８の壁面にぶつかることで排水トラップ管路１２の入口１２ａに向かう流れ（矢印Ｆ４参照）に偏向され、排水トラップ管路１２の入口１２ａに流入する。
【００２３】
一方、旋回流（矢印Ｆ２参照）は、吐水口２０からボウル部８における吐水口２０に近い側の後方に位置するコーナー部８ａ付近までほぼ一周旋回すると、下降流（矢印Ｆ３参照）に衝突して旋回方向が下方に偏向され、溜水に向かって落下する流れ（矢印Ｆ５参照）となる。
この結果、吐水口２０からコーナー部８ａ付近までほぼ一周旋回した旋回流（矢印Ｆ２参照）は、コーナー部８ａ付近で下降流（矢印Ｆ３参照）に衝突して合流することにより、二周目の旋回にほとんど突入することなく下降流（矢印Ｆ５参照）となるため、浮遊系汚物も外側へ押し出されることがなく、洗浄水の旋回中心付近に集まることになる。
【００２４】
この旋回中心付近に集まった汚物は、サイホンの吸引力と、上述した排水トラップ管路１２の入口１２ａに向かう流れで押し込まれる押し込み力により（矢印Ｆ３〜Ｆ５参照）、効果的に排水トラップ管路１２の入口１２ａに送りこまれることになる。このようにして、旋回流は、汚物受け面１４に付着した汚物等を効果的に溜水部１８側に誘導し、下降流は、溜水部１８表面に浮遊する汚物等を排水トラップ管路１２内へ押し込む流れとなって汚物等を効果的に確実に排出することができる。
ちなみに、例えば、水洗大便器の洗浄水量が６リットルに通常設定されている場合、吐水口２０における瞬間流量を９０±２０[Ｌ／ｍiｎ]に設定することにより、浮遊系汚物を確実に排出する下降流の流量を確保することができる。
【００２５】
つぎに、本発明の第２実施形態による水洗便器について説明する。
図７は本発明の第２実施形態による水洗大便器を示す平面図である。ここで、図７において、本発明の第１実施形態による水洗大便器の部分と同一部分については同一の符号を付し、それらの説明は省略する。
図７に示すように、本発明の第２実施形態による水洗大便器３０は、第１実施形態の導水路１０よりも縦断面の面積が小さい２つの同一形態の導水路１０が左右対称に配置されている点で第１実施形態と異なっている。しかしながら、本実施形態の導水路１０の入口部１０ａからコーナー部１０ｂを経て吐水口２０にかけての縦断面の形状については、第１実施形態の導水路１０のものと相似形となっている。
【００２６】
上述した本実施形態の水洗大便器３０によれば、左右の導水路１０を流れる洗浄水（矢印Ｆ１参照）は、両吐水口２０から吐水されると、ボウル部８の外周側を旋回する旋回流（矢印Ｆ２参照）を左右両側に形成すると共に、溜水部１８側に向かって下り傾斜した吐水口２０の開口底面１０ｃに沿って溜水部１８の方向へ落下する下降流（矢印Ｆ３参照）を左右両側で形成する。
【００２７】
特に、旋回流（矢印Ｆ２参照）については、吐水口２０からボウル部８の前方付近で両側から２つの旋回流（矢印Ｆ２参照）が衝突して旋回方向が溜水に向かう流れ（矢印Ｆ６参照）に偏向され、下降流（矢印Ｆ３参照）と同様に、排水トラップ管路１２の入口１２ａに送り込まれる流れとなる。
このようにして、浮遊系汚物は、サイホンの吸引力と排水トラップ管路１２の入口１２ａに向かう流れで押し込まれる押し込み力により（矢印Ｆ３及びＦ６参照）浮遊系汚物を確実に排出することができる。
【００２８】
なお、上述した本発明の第１実施形態及び第２実施形態による水洗大便器においては、例として、サイホン作用を利用してボウル部内の汚物を吸い込んで排水トラップ管路から一気に外部に排出する、いわゆるサイホン式の水洗大便器に適用した形態について説明しているが、このような形態に限定されず、他の水洗大便器の形態についても適用可能である。
例えば、ボウル部内の水の落差による流水作用で汚物を押し流す、いわゆるウォッシュダウン式の水洗大便器についても適用可能である。要するに、導水路の縦断面と吐水口の断面を本発明の実施形態のものと同様に設定することで、浮遊系汚物を溜水面上に残すことなく確実に排出することができる。
【図面の簡単な説明】
【００２９】
【図１】本発明の実施形態による水洗大便器を示す縦断面図である。
【図２】図１に示す水洗大便器の平面図である。
【図３】図２のIII−III線に沿って見た縦断面図である。
【図４】図２のIV−IV線に沿って見た縦断面図である。
【図５】図２のＶ−Ｖ線に沿って見た縦断面図である。
【図６】本発明の第１実施形態による水洗大便器における洗浄水の流れの様子を示す斜視図である。
【図７】本発明の第２実施形態による水洗大便器を示す平面図である。
【符号の説明】
【００３０】
１，３０  水洗大便器
２  便器本体
４  貯水タンク
４ａ  洗浄水給水口
６  排水弁
８  ボウル部
１０  導水路
１０ａ  導水路の入口部
１０ｂ  導水路のコーナー部
１０ｃ  導水路の底面（吐水口の底面）
１０ｄ  導水路の内側面（吐水口の内側面）
１２  排水トラップ管路
１４  汚物受け面
１６  リム部
１８  溜水部
２０  吐水口（吐水部）
【図１】
2010031551.tif 000003
【図２】
2010031551.tif 000004
【図３】
2010031551.tif 000005
【図４】
2010031551.tif 000006
【図５】
2010031551.tif 000007
【図６】
2010031551.tif 000008
【図７】
2010031551.tif 000009